(57)【要約】  【課題】  規格が異なる複数の記録層を有するハイブリッド型光ディスクへの情報の記録または再生開始までの時間を短縮化する。  【解決手段】  ディスクローディング指示信号に、光ディスク装置に認識させたい規格を指定するコマンド情報を付加し、ディスクローディング時に該コマンド情報を判別することで該指定された規格を光ディスク装置に認識させ、該認識させた規格に対応して光ディスク装置の作動条件を設定し、該条件でハイブリッド型光ディスクの該規格に対応した記録層に対して記録または再生を開始させる構成とする。【選択図】  図３
2007242077.tif 000002
【特許請求の範囲】
【請求項１】
異なる規格の複数の記録層を有するハイブリッド型光ディスクに対し情報の記録または再生が可能な光ディスク装置であって、
規格認識を指示するコマンド情報が付加されたディスクローディング指示信号が入力され、ディスクローディング用の第１の制御信号を形成するとともに、該コマンド情報を判別して該コマンド情報が指示する規格を認識し、該認識した規格に対応した第２の制御信号を形成する制御回路と、
上記第１の制御信号に基づき駆動され、上記光ディスクを装置内の所定位置にローディングするローディング機構部と、
上記第２の制御信号に基づき制御され、上記光ディスクの複数の記録層のうち、上記認識した規格の記録層に対し記録または再生用のレーザ光を照射する光ピックアップと、
上記第２の制御信号に基づき形成された駆動信号により回転駆動され、上記光ディスクを所定の回転速度で回転させるスピンドルモータと、
上記第２の制御信号に基づき駆動され、上記光ピックアップを上記光ディスクの略半径方向に移動させるピックアップ移動機構と、
を備え、上記コマンド情報に対応した規格の記録層に対して情報の記録または再生を行う構成としたことを特徴とする光ディスク装置。
【請求項２】
上記制御回路は、上記コマンド情報の判別を、該コマンド情報に含まれるビットの位置によって行う構成である請求項１に記載の光ディスク装置。
【請求項３】
光ディスク装置内に上記ディスクローディング指示信号を出力する操作部を備える請求項１または請求項２に記載の光ディスク装置。
【請求項４】
上記制御回路は、上記コマンド情報の判別を、上記ローディング機構部が上記光ディスクをローディングしている動作中に行う構成である請求項１または請求項２に記載の光ディスク装置。
【請求項５】
上記制御回路は、上記コマンド情報の判別を、上記光ディスクのディスク判別と並行して行う構成である請求項１または請求項２に記載の光ディスク装置。
【請求項６】
上記制御回路は、上記コマンド情報の判別ができない場合は、ディスク判別結果から規格を認識して上記第２の制御信号を形成する構成である請求項１または請求項２に記載の光ディスク装置。
【請求項７】
異なる規格の複数の記録層を有するハイブリッド型光ディスクに対する情報の記録または再生方法であって、
ディスクローディング指示信号が入力される第１のステップと、
上記ディスクローディング指示信号に付加されたコマンド情報を判別する第２のステップと、
上記コマンド情報が指示する規格を、上記判別結果に基づき認識する第３のステップと、
上記認識した規格に対応した制御信号を形成する第４のステップと、
上記制御信号に基づき、上記光ディスクの回転速度を制御するとともに、上記光ディスクの複数の記録層のうち上記認識した規格の記録層に対し記録または再生用のレーザ光を照射する第５のステップと、
を経て、上記コマンド情報に対応した規格の記録層に対し情報の記録または再生を行うことを特徴とする情報の記録または再生方法。
【請求項８】
上記第２のステップでは、上記コマンド情報に含まれるビットの位置によって該コマンド情報の判別を行う請求項７に記載の情報の記録または再生方法。
【請求項９】
上記第２のステップでは、上記コマンド情報の判別を、上記光ディスクのディスク判別と並行して行う請求項７に記載の情報の記録または再生方法。
【請求項１０】
上記第２のステップで上記コマンド情報の判別ができない場合は、上記第３のステップでは、規格の認識をディスク判別結果に基づき行う請求項７に記載の情報の記録または再生方法。
【発明の詳細な説明】
【技術分野】
【０００１】
本発明は、異なる規格の複数の記録層を有するハイブリッド型光ディスクに対して情報を記録または再生する技術に関する。
【背景技術】
【０００２】
近年、青色レーザ用光ディスクが既に実用化され、さらに、規格が異なるＢＤ（Ｂｌｕ−ｒａｙ  Ｄｉｓｃ）やＨＤ−ＤＶＤなどの青系レーザ用光ディスクと、ＤＶＤ、ＣＤなどの赤系レーザ用光ディスクとを一体化するハイブリッド型ディスクの開発も進められている。該ハイブリッド型ディスクでは、光ディスク装置は記録または再生を行うに当たり、青系レーザ用記録層と赤系レーザ用記録層とのそれぞれに対し、セットアップ段階で、ディスク種別の判別、規格に対応した記録層の認識などを行うことになる。
【０００３】
ハイブリッド型光ディスクに関連する従来技術であって、特許文献に記載された従来技術としては、例えば特開平１１−８６３３８号公報（特許文献１）に記載されたものがある。特開平１１−８６３３８号公報には、ハイブリッドディスクの判別技術が記載され、該技術として、光学ディスクにＣＤレーザビームを照射し、該光学ディスクからデータを読み出し、識別情報が指定された記録領域に記録されるかを点検し、記録される場合、該光学ディスクをハイブリッドディスクとして認識するとした技術が記載されている。
【０００４】
【特許文献１】特開平１１−８６３３８号公報
【発明の開示】
【発明が解決しようとする課題】
【０００５】
上記複数の規格に対応する従来のドライブでは、複数規格のうち、大容量の規格のみが認識され、小容量の規格は認識されない、または、小容量の規格は認識されても、大容量の規格から順に認識の可否の判別が行われるため、認識されるまでに時間がかかるという問題があった。また、上記特開平１１−８６３３８号公報記載技術においては、ハイブリッドディスクの記録再面に予め、ハイブリッドディスクを示す特別な認識情報を記録しておき、ドライブ側でその認識情報を読み取ることで複数の規格（層）を認識するとしている。このため、本技術では、ハイブリッドディスクに特別な認識情報を記録しておく必要があり、該認識情報が記録されていない場合には、ドライブ側での規格（層）の認識が不可能である。
【０００６】
本発明の課題点は、上記従来技術の状況に鑑み、光ディスク装置において、規格が異なる記録層を有するハイブリッド型光ディスクに対して情報を記録または再生する場合、ハイブリッド型光ディスクに特別な認識情報が記録されていなくとも複数の規格の認識を可能にし、かつ、小容量の規格に対しても短時間での認識ができるようにすることである。
本発明の目的は、かかる課題点を解決し、使い勝手が良く、信頼性の高いハイブリッド型光ディスク対応式の光ディスク装置を提供することにある。
【課題を解決するための手段】
【０００７】
上記課題点を解決するために、本発明では、光ディスク装置において、当該光ディスク装置に認識させたい規格を指定するコマンド情報をディスクローディング指示信号に付加し、該コマンド情報を判別することにより、該指定された規格を光ディスク装置に認識させ、該認識させた規格に対応して光ディスク装置の作動条件を設定し、該設定した条件で、ハイブリッド型光ディスクの該規格に対応した記録層に対し、情報の記録または再生動作を開始させる構成とする。
【発明の効果】
【０００８】
本発明によれば、光ディスク装置において、ハイブリッド型光ディスクの指定された規格の記録層への情報の記録または再生を短時間のうちに開始させることができ、使い勝手の向上が可能となる。
【発明を実施するための最良の形態】
【０００９】
以下、本発明の実施形態につき、図面を用いて説明する。
図１〜図３は、本発明の実施形態の説明図である。図１は、ハイブリッド型光ディスクの記録層の構成例図、図２は、本発明の一実施形態としての光ディスク装置の構成例図、図３は、図２の光ディスク装置の動作説明図である。
【００１０】
図１は、異なる規格の複数の記録層を有するハイブリッド型光ディスクの例である。
図１において、２はハイブリッド型光ディスク、２１は、例えばＢＤなどに対応する規格（以下、規格Ａという）の記録層、２２は、例えばＤＶＤやＨＤ−ＤＶＤなどに対応する規格（以下、規格Ｂという）の記録層、２３は、例えばＣＤなどに対応する規格（以下、規格Ｃという）の記録層、５は対物レンズ、１００は、対物レンズ５を通してハイブリッド型光ディスク２に照射されるレーザ光である。規格Ａの記録層２１に対し情報の記録または再生が行われるときは、対物レンズ５は該規格Ａの記録層２１の上にレーザ光１００を合焦させる状態に制御され、規格Ｂの記録層２２に対し情報の記録または再生が行われるときは、対物レンズ５は該規格Ｂの記録層２２の上にレーザ光１００を合焦させる状態に制御され、規格Ｃの記録層２３に対し情報の記録または再生が行われるときは、対物レンズ５は該規格Ｃの記録層２３の上にレーザ光１００を合焦させる状態に制御される。
【００１１】
図２は、本発明の一実施形態としての光ディスク装置であって、異なる規格の複数個の記録層を有するハイブリッド型光ディスクに対し情報を記録または再生可能な光ディスク装置の構成例図である。
図２において、１は、本発明の実施形態としての光ディスク装置、２は、異なる規格の複数の記録層を備えたハイブリッド型光ディスクであって例えば図１の構成のハイブリッド型光ディスク、３は、ハイブリッド型光ディスク２を回転駆動するスピンドルモータ、４は光ピックアップ、５は対物レンズ、６は、記録または再生のために所定の強さのレーザ光を発生するレーザダイオード、７は、レーザダイオード６を駆動するレーザ駆動回路、８は、対物レンズ５を介しハイブリッド型光ディスク２の記録面（以下、光ディスク面ともいう）からの反射レーザ光を受光して電気信号に変換し出力する受光部、９は、受光部８からの信号を増幅するなどアナログ処理するアナログフロントエンド、１０は、対物レンズ５を光ディスク面に対し移動変位させたり該対物レンズ５の姿勢を変えたりするアクチュエータ、１３は、アクチュエータ１０を駆動するアクチュエータ駆動回路、１１は、直線状のガイド部材（図示なし）やリードスクリュー部材（図示なし）などを備えて構成され、光ピックアップ４をハイブリッド型光ディスク２の略半径方向に移動させる移動・案内機構部、１１ａは、移動・案内機構部１１内にあってリードスクリュー部材（図示なし）を回転駆動するスライドモータ、１２は、ハイブリッド型光ディスク２を装置本体に対しローディングまたはアンローディングするローディング機構部、１２ａは、ローディング機構部１３内にあってハイブリッド型光ディスク２が載置されるトレイ（図示なし）を移動駆動するローディングモータ、１５は、スピンドルモータ３やスライドモータ１１ａやローディングモータ１２ａを駆動するモータ駆動回路、３０は、モータ駆動回路１５に供給するサーボ信号を生成したり、レーザ駆動回路７を制御する信号を生成したり、アナログフロントエンド９からの信号に基づき、再生信号（ＲＦ信号）を復調したり、アクチュエータ駆動回路１３に供給する制御信号を生成したりする、光ディスク装置１全体の制御手段としてのＤＳＰ（Ｄｉｇｉｔａｌ  Ｓｉｇｎａｌ  Ｐｒｏｃｅｓｓｏｒ）である。
【００１２】
また、３１は、ＤＳＰ３０内にあって、モータ駆動回路１５を制御する制御信号を形成するモータ制御部、３２は、ＤＳＰ３０内にあって、ハイブリッド型光ディスク２の記録層に記録される記録信号を生成する記録信号生成部、３３は、ＤＳＰ３０内にあって、アナログフロントエンド９からの再生信号を、ＲＦ信号や、トラッキング誤差信号や、フォーカス誤差信号として処理する再生・誤差信号処理部、３４は、ＤＳＰ３０内にあって、フォーカス制御用信号やトラッキング制御用信号を生成し出力するフォーカス・トラッキング制御部、３５は、ＤＳＰ３０内にあって、モータ制御部３１や記録信号生成部３２やレーザ駆動回路７や再生・誤差信号処理部３３などを制御する制御回路、３５１は、制御回路３５を構成するマイコン、３５２は、同じく制御回路３５を構成する信号処理部、３６は、マイコン３５１と信号処理部３５２が処理する情報を記憶するメモリ、４０はインターフェース、５０はホストである。ホスト５０としては、例えばコンピュータやＡＶレコーダのバックエンド側などが該当する。上記のうち、ハイブリッド型光ディスク２及びホスト５０を除く部分が光ディスク装置１を構成している。レーザダイオード６は、ハイブリッド型光ディスク２の記録面を構成している青系レーザ用記録層と赤系レーザ用記録層に対応して、青系レーザ光を生成し出射する青系レーザダイオードと赤系レーザ光を生成し出射する赤系レーザダイオードとから成る。
【００１３】
上記構成において、ハイブリッド型光ディスク２のローディング時に、ローディングを指示するディスクローディング指示信号が、ホスト５０からインターフェース４０を介してＤＳＰ３０の制御回路３５に入力される。該ディスクローディング指示信号には、ユーザがホスト５０により指定したハイブリッド型光ディスク２の規格認識を指示するコマンド情報が付加されている。すなわち、ホスト５０が操作され、例えばソフトボタンのうち、ユーザが希望する規格に対応するソフトボタンを押すことで、該ホスト５０から、希望する規格の認識を指示するコマンド情報が付加されたディスクローディング指示信号が出力（発行）される。該ディスクローディング指示信号が制御回路３５に入力されると、該制御回路３５では、マイコン３５１と信号処理部３５２とにより、ディスクローディング用の第１の制御信号を形成するとともに、該コマンド情報を判別して該コマンド情報が指示する規格を認識し、該認識結果に基づき、該認識した規格に対応した制御条件を設定し、該設定結果をメモリ３６に記憶させる。制御回路３５は、上記第１の制御信号に基づくハイブリッド型光ディスク２のローディング動作が完了したことを確認した時点で、上記設定した制御条件に基づく制御信号すなわち上記認識した規格に対応した第２の制御信号を形成する。
【００１４】
上記形成された上記第１の制御信号は、制御回路３５から出力され、モータ制御部３１に入力され、該モータ制御部３１からモータ駆動回路１５を制御するための制御信号を出力させる。モータ駆動回路１５は、該制御信号により制御され、ローディング機構部１２のローディングモータ１２ａを駆動させる駆動パルス（ローディングモータ駆動用の駆動パルス）を形成して出力し、ローディングモータ１２ａを駆動し、該ローディング機構部１２を作動させる。ローディング機構部１２の作動により、ハイブリッド型光ディスク２は、光ディスク装置１内の所定位置にローディングされる。
【００１５】
一方、上記形成された上記第２の制御信号は、制御回路３５から出力され、モータ制御部３１や、記録信号生成部３２や、レーザ駆動回路７などに入力される。モータ制御部３１に入力された第２の制御信号は、モータ駆動回路１５を制御するための制御信号を該モータ制御部３１から出力させる。モータ駆動回路１５は、該制御信号により制御されて、スピンドルモータ３を駆動させる駆動パルス（スピンドルモータ駆動用の駆動パルス）及び移動・案内機構部１１のスライドモータ１１ａを駆動させる駆動パルス（スライドモータ駆動用の駆動パルス）をそれぞれ形成して出力する。スピンドルモータ３は、該スピンドルモータ駆動用の駆動パルスにより回転駆動され、上記制御回路３５が認識した規格に対応する回転条件でハイブリッド型光ディスク２を回転させる。また、スライドモータ１１ａは、上記スライドモータ駆動用の駆動パルスにより回転駆動され、移動・案内機構部１１を駆動して、上記制御回路３５が認識した規格に対応する移動条件で光ピックアップ４をハイブリッド型光ディスク２の略半径方向に移動させる。
【００１６】
記録信号生成部３２に入力された第２の制御信号は、上記制御回路３５が認識した規格に対応する記録信号を該記録信号生成部３２に生成させる。該生成された記録信号はレーザ駆動回路７に入力され、該レーザ駆動回路７にレーザダイオード６を駆動させる。レーザダイオード６からは上記制御回路３５が認識した規格に対応する強さの記録用レーザ光が出射される。また、レーザ駆動回路７に入力された第２の制御信号は、上記制御回路３５が認識した規格に対応する仕様の再生動作用レーザ光がレーザダイオード６から出射されるようにする。
【００１７】
ハイブリッド型光ディスク２の青系レーザ用記録層に対し情報の記録または再生を行うときは、レーザダイオード６内の青系レーザダイオードから青系レーザ光を出射し、対物レンズ５を通して青系レーザ用記録層に照射し、一方、赤系レーザ用記録層に対し情報の記録または再生を行うときは、レーザダイオード６内の赤系レーザダイオードから赤系レーザ光を出射し、対物レンズ５を通して該赤系レーザ用記録層に照射する。青系レーザダイオードと赤系レーザダイオードの切替えは、レーザ駆動回路７が、青系レーザ用記録層と赤系レーザ用記録層の切替えられることに対応して行う。
【００１８】
なお、上記制御回路３５は、上記コマンド情報の判別を、例えば、該コマンド情報に含まれるビットの位置によって行うようになっている。また、上記制御回路３５は、コマンド情報の判別を、上記ローディング機構部が上記光ディスクをローディングしている動作中に行う。また、上記制御回路３５は、上記コマンド情報の判別を、上記光ディスクのディスク判別と並行して行う構成である。
【００１９】
図３は、図２の光ディスク装置１の動作説明図である。
図３において、
（１）ユーザがホスト５０を操作し、希望する規格に対応するソフトボタンを押すことで、該ホスト５０から、該希望する規格の認識を指示するコマンド情報が付加されたディスクローディング指示信号が出力（発行）される（ステップＳ３０）。
（２）制御回路３５は、マイコン３５１と信号処理部３５２とにより、ディスクローディング用の制御信号すなわち第１の制御信号を形成するとともに、コマンド情報の判別を行う。例えば、上記ステップＳ３０において、規格Ａの認識を指示するコマンド情報が付加されたディスクローディング指示信号がホスト５０から制御回路３５に入力される場合には、制御回路３５は、該規格Ａの認識を指示するコマンド情報が、検出可能なレベル以上のレベルで付加されているか否かを判別する（ステップＳ３１ａ）。上記形成された上記第１の制御信号は、制御回路３５から出力され、モータ制御部３１に入力され、モータ駆動回路１５を介してローディングモータ１２ａを駆動し、ローディング機構部１２を作動させて、ハイブリッド型光ディスク２を光ディスク装置１内の所定位置にローディングさせる。
【００２０】
（３）ステップＳ３１ａにおける判別の結果、規格Ａの認識を指示するコマンド情報が、検出可能なレベル以上のレベルで付加されている場合には、制御回路３５は、ハイブリッド型光ディスク２の上記ローディング動作に並行して規格Ａを認識する（ステップＳ３２ａ）。
（４）ステップＳ３２ａにおける認識結果に基づき、制御回路３５は、該認識した規格Ａに対応した制御条件を設定し、該設定結果をメモリ３６に記憶させる。制御回路３５は、上記第１の制御信号に基づくハイブリッド型光ディスク２の上記ローディング動作が完了したことを確認すると、上記設定した制御条件に基づく制御信号すなわち第２の制御信号を形成する（ステップＳ３３ａ）。
【００２１】
（５）光ディスク装置１は、上記形成された上記第２の制御信号に基づき、ハイブリッド型光ディスク２内の規格Ａの記録層に対して記録または再生動作を開始する（ステップＳ３４ａ）。すなわち、第２の制御信号は、制御回路３５から出力されて、モータ制御部３１や、記録信号生成部３２や、レーザ駆動回路７などに入力される。モータ制御部３１に入力された第２の制御信号は、モータ駆動回路１５を介して、スピンドルモータ３や、スライドモータ１１ａの回転を制御する。スピンドルモータ３は、上記制御回路３５が認識した規格Ａに対応する回転条件でハイブリッド型光ディスク２を回転させる。また、スライドモータ１１ａは、移動・案内機構部１１を駆動して、同じく上記制御回路３５が認識した規格Ａに対応する移動条件で光ピックアップ４をハイブリッド型光ディスク２の略半径方向に移動させる。一方、記録信号生成部３２に入力された第２の制御信号は、上記制御回路３５が認識した規格Ａに対応する記録信号を該記録信号生成部３２に生成させ，レーザ駆動回路７を介してレーザダイオード６を駆動し、規格Ａに対応する強さの記録用レーザ光を出射させる。また、レーザ駆動回路７に入力された第２の制御信号は、規格Ａに対応する仕様の再生用レーザ光がレーザダイオード６から出射させる。
【００２２】
（６）上記ステップＳ３１ａにおける判別の結果、上記規格Ａの認識を指示するコマンド情報が、検出可能なレベル以上のレベルでディスクローディング指示信号に付加されていない場合には、制御回路３５は、規格Ａとは異なる規格Ｂの認識を指示するコマンド情報が、検出可能なレベル以上のレベルで付加されているか否かを判別する（ステップＳ３１ｂ）。該判別の結果、該規格Ｂの認識を指示するコマンド情報が、検出可能なレベル以上のレベルで付加されている場合には、制御回路３５は、規格Ｂを認識し（ステップＳ３２ｂ）、該認識結果に基づき、該規格Ｂに対応した制御条件を設定してその結果をメモリ３６に記憶させ、ハイブリッド型光ディスク２のローディング動作が完了したことを確認した時点で、上記設定した制御条件に基づく制御信号すなわち第２の制御信号を形成し（ステップＳ３３ｂ）、該第２の制御信号に基づき、上記ステップＳ３４ａにおける規格Ａの場合と同様、ＤＳＰ３０を作動させて光ディスク装置１を規格Ｂに対応する装置状態にし、ハイブリッド型光ディスク２内の規格Ｂの記録層に対して記録または再生動作を開始させる（ステップＳ３４ｂ）。
【００２３】
（７）上記ステップＳ３１ｂにおける判別の結果、上記規格Ｂの認識を指示するコマンド情報が、検出可能なレベル以上のレベルでディスクローディング指示信号に付加されていない場合には、制御回路３５は、規格Ａ、Ｂとは異なる規格Ｃの認識を指示するコマンド情報が、検出可能なレベル以上のレベルでディスクローディング指示信号に付加されているか否かを判別する（ステップＳ３１ｃ）。該判別の結果、該規格Ｃの認識を指示するコマンド情報が、検出可能なレベル以上のレベルで付加されている場合には、制御回路３５は、規格Ｃを認識し（ステップＳ３２ｃ）、該認識結果に基づき、該規格Ｃに対応した制御条件を設定してその結果をメモリ３６に記憶させ、ハイブリッド型光ディスク２のローディング動作が完了したことを確認した時点で、上記設定した制御条件に基づく第２の制御信号を形成し（ステップＳ３３ｃ）、該第２の制御信号に基づき、ＤＳＰ３０を作動させて光ディスク装置１を規格Ｃに対応する装置状態にし、ハイブリッド型光ディスク２内の規格Ｃの記録層に対して記録または再生動作を開始させる（ステップＳ３４ｃ）。
【００２４】
（８）さらに、上記ステップＳ３１ｃにおける判別の結果、上記規格Ｃの認識を指示するコマンド情報が、検出可能なレベル以上のレベルでディスクローディング指示信号に付加されていない場合には、制御回路３５は、規格Ａ、Ｂ、Ｃでない通常規格を認識し（ステップＳ３２ｎ）、該通常規格に対応した制御条件を設定してその結果をメモリ３６に記憶させ、やはり、ハイブリッド型光ディスク２のローディング動作が完了したことを確認した時点で、上記設定した制御条件に基づく第２の制御信号を形成し（ステップＳ３３ｎ）、該第２の制御信号に基づき、ＤＳＰ３０を作動させて光ディスク装置１を通常規格に対応する装置状態にし、ハイブリッド型光ディスク２内の通常規格の記録層に対して記録または再生動作を開始させる（ステップＳ３４ｎ）。
【００２５】
上記（１）〜（８）は、上記ステップＳ３０において、例えばユーザが、規格Ａの認識を指示するコマンド情報が付加されたディスクローディング指示信号をホスト５０から制御回路３５に入力した場合であるが、ユーザが、規格Ｂの認識を指示するコマンド情報が付加されたディスクローディング指示信号をホスト５０から制御回路３５に入力する場合や、規格Ｃの認識を指示するコマンド情報が付加されたディスクローディング指示信号をホスト５０から制御回路３５に入力する場合も、同様である。
【００２６】
また、上記（２）〜（８）の一連の動作は、制御回路３５内のマイコン３５１が、プログラムに従い、上記一連の手順を実行することで自動的に行われる。該プログラムは、マイコン３５１内など光ディスク装置内に予め記憶されているものとする。
【００２７】
上記本発明の実施形態によれば、光ディスク装置１において、情報の記録または再生を行うための規格を短時間のうちに確実に認識することができ、このため、ハイブリッド型光ディスク内の該規格の記録層への記録または再生動作を短時間のうちに開始することができる。
【００２８】
なお、上記一実施形態としての光ディスク装置１では、規格の認識を指示するコマンド情報が付加されたディスクローディング指示信号が、ホスト５０から発行される構成としたが、本発明はこれに限定されず、該ディスクローディング指示信号が、光ディスク装置内に設けられたディスクローディング指示操作部などから発行される構成としてもよい。該構成の場合も、上記（２）〜（８）の一連の動作が行われるとする。また、上記光ディスク装置１では、ＤＳＰ３０内に、マイコン３５１を含む制御回路３５を有する構成としたが、本発明はこれにも限定されず、マイコンまたはこれを含んで成る制御回路はＤＳＰ３０の外部に設ける構成としてもよい。メモリ３６についても同様で、ＤＳＰ３０の外部に設けてもよい。さらに、上記光ディスク装置１では、装置全体の制御手段を、マイコン３５１を含むＤＳＰ３０で構成したが、該制御手段は、ＤＳＰを用いない構成であってもよい。
【図面の簡単な説明】
【００２９】
【図１】ハイブリッド型光ディスク構成例図である。
【図２】本発明の実施形態としての光ディスク装置の構成例図である。
【図３】図２の光ディスク装置における規格認識動作の説明図である。
【符号の説明】
【００３０】
１…光ディスク装置、
２…ハイブリッド型光ディスク、
３…スピンドルモータ、
４…光ピックアップ、
５…対物レンズ、
６…レーザダイオード、
７…レーザ駆動回路、
８…受光部、
９…アナログフロントエンド、
１０…アクチュエータ、
１１…移動・案内機構部、
１１ａ…スライドモータ、
１２…ローディング機構部、
１２ａ…ローディングモータ、
１３…アクチュエータ駆動回路、
１５…モータ駆動回路、
３０…ＤＳＰ、
３１…モータ制御部、
３２…記録信号生成部、
３３…再生・誤差信号処理部、
３４…フォーカス・トラッキング制御部、
３５…制御回路、
３５１…マイコン、
３５２…信号処理部、
３６…メモリ、
４０…インターフェース、
５０…ホスト。
【図１】
2007242077.tif 000003
【図２】
2007242077.tif 000004
【図３】
2007242077.tif 000005